(57)【要約】【課題】ユーザーにより編集項目の設定値の変更が行われた場合、その変更が、印刷イメージにどのように反映されたかをユーザーに分かりやすく示すことが可能な表示制御装置、印刷装置、表示制御装置の制御方法およびそのプログラムを提供する。【解決手段】編集画面Ｄ１における印刷データの編集結果を、印刷イメージＩｃとしてディスプレーに表示させ、印刷データの編集項目の設定値が変更されたとき（符号５２，５３参照）、編集項目の設定値の変更に基づく印刷イメージＩｃの変化を誇張してディスプレーに表示させる。【選択図】図２
2019008733.tif 000002
【特許請求の範囲】
【請求項１】
編集画面における印刷データの編集結果を、印刷イメージとしてディスプレーに表示させ、前記印刷データの編集項目の設定値が変更されたとき、前記編集項目の設定値の変更に基づく前記印刷イメージの変化を誇張して前記ディスプレーに表示させる制御部、を備えることを特徴とする表示制御装置。
【請求項２】
前記制御部は、
前記ディスプレーに表示された前記編集画面のプレビュー表示領域において、前記印刷イメージを表示させることを特徴とする請求項１に記載の表示制御装置。
【請求項３】
前記印刷データは、長尺状の印刷媒体に印刷を行うためのデータであって、
前記編集項目は、前記設定値の変更により前記印刷媒体の長手方向における前記印刷イメージの長さが変わるものであることを特徴とする請求項１または２に記載の表示制御装置。
【請求項４】
前記編集項目は、前記設定値の変更により前記印刷イメージの文字装飾が変わるものであることを特徴とする請求項１または２に記載の表示制御装置。
【請求項５】
前記制御部は、
前記編集項目のデフォルト値または前回設定値からの前記設定値の変更量が、閾値以下である場合は、前記設定値の変更量に応じて、前記印刷イメージの変化を誇張して表示させ、前記閾値を超える場合は、前記設定値を前記閾値としたときの前記印刷イメージを表示させることを特徴とする請求項１ないし４のいずれか１項に記載の表示制御装置。
【請求項６】
複数の前記編集項目があり、
前記設定値の変更単位は、前記編集項目ごとに定められ、
前記閾値は、複数の前記編集項目について、同一の変更ステップ数により定められていることを特徴とする請求項５に記載の表示制御装置。
【請求項７】
印刷データの編集画面における前記印刷データの編集結果を、印刷イメージとして表示するディスプレーと、
前記印刷データの編集項目の設定値が変更されたとき、前記編集項目の設定値の変更に基づく前記印刷イメージの変化を誇張して前記ディスプレーに表示させる制御部と、
前記印刷データに基づいて、印刷媒体に印刷を行う印刷部と、を備えることを特徴とする印刷装置。
【請求項８】
編集画面における印刷データの編集結果を、印刷イメージとしてディスプレーに表示させ、前記印刷データの編集項目の設定値が変更されたとき、前記編集項目の設定値の変更に基づく前記印刷イメージの変化を誇張して前記ディスプレーに表示させることを特徴とする表示制御装置の制御方法。
【請求項９】
コンピューターに、請求項８に記載の表示制御装置の制御方法を実行させるためのプログラム。
【発明の詳細な説明】
【技術分野】
【０００１】
本発明は、印刷データに対応する印刷イメージを表示する表示制御装置、印刷装置、表示制御装置の制御方法およびそのプログラムに関する。
【背景技術】
【０００２】
従来、ラベルを作成するための印刷データを編集可能であり、その印刷データに対応する印刷イメージを表示可能なラベル印刷システムが知られている（例えば、特許文献１）。
【先行技術文献】
【特許文献】
【０００３】
【特許文献１】特開２００９−９３２４５号公報
【発明の概要】
【発明が解決しようとする課題】
【０００４】
ところで、このようなラベル印刷システムにおいて、印刷データの編集として、例えばラベルの先端部および後端部に設けられる余白の長さ（以下、「余白長」と称する）やラベル長が変更された場合、数ミリの変更では、ユーザーが印刷イメージの変化に気づかない場合がある。特に、ラベル長が長い場合や印刷イメージを表示する表示領域が狭い場合、余白長やラベル長などの設定値の変更に伴う印刷イメージの変化が小さくなるため、設定値の変更が印刷イメージにどのように反映されたか（印刷イメージのどの部分に、どのような変化をもたらしたのか）を、ユーザーが確認しづらいといった課題がある。
同様に、印刷データの編集として、文字装飾が行われた場合も、ユーザーが印刷イメージの変化に気づかない場合がある。特に、文字サイズが小さい場合や表示領域が狭い場合、装飾の変更に伴う印刷イメージの変化が小さくなるため、装飾の変更が印刷イメージにどのように反映されたかを、ユーザーが確認しづらいといった課題がある。
【０００５】
本発明は、上記の問題点に鑑み、ユーザーにより編集項目の設定値の変更が行われた場合、その変更が、印刷イメージにどのように反映されたかをユーザーに分かりやすく示すことが可能な表示制御装置、印刷装置、表示制御装置の制御方法およびそのプログラムを提供することを目的とする。
【課題を解決するための手段】
【０００６】
本発明の表示制御装置は、編集画面における印刷データの編集結果を、印刷イメージとしてディスプレーに表示させ、印刷データの編集項目の設定値が変更されたとき、編集項目の設定値の変更に基づく印刷イメージの変化を誇張してディスプレーに表示させる制御部、を備えることを特徴とする。
【０００７】
本発明の印刷装置は、印刷データの編集画面における印刷データの編集結果を、印刷イメージとして表示するディスプレーと、印刷データの編集項目の設定値が変更されたとき、編集項目の設定値の変更に基づく印刷イメージの変化を誇張してディスプレーに表示させる制御部と、印刷データに基づいて、印刷媒体に印刷を行う印刷部と、を備えることを特徴とする。
【０００８】
本発明の表示制御装置の制御方法は、編集画面における印刷データの編集結果を、印刷イメージとしてディスプレーに表示させ、印刷データの編集項目の設定値が変更されたとき、編集項目の設定値の変更に基づく印刷イメージの変化を誇張してディスプレーに表示させることを特徴とする。
【０００９】
本発明のプログラムは、コンピューターに、上記の表示制御装置の制御方法を実行させることを特徴とする。
【００１０】
本発明の構成によれば、印刷データの編集項目の設定値の変更に基づく印刷イメージの変化を誇張してディスプレーに表示させるため、設定値の変更が印刷イメージにどのように反映されたかをユーザーに分かりやすく示すことができる。
なお、印刷データとは、印刷媒体に印刷する印刷画像を示す画像データの他、印刷に関する各種制御信号（カット命令など）を含むものである。
また、印刷イメージとは、印刷媒体のイメージに印刷画像のイメージを重ねて表示したもの（印刷プレビュー表示）でもよいし、印刷画像のイメージのみを表示したものでもよい。
【００１１】
上記の表示制御装置において、制御部は、ディスプレーに表示された編集画面のプレビュー表示領域において、印刷イメージを表示させることを特徴とする。
【００１２】
本発明の構成によれば、編集画面のプレビュー表示領域において、設定値の変更が印刷イメージにどのように反映されたかをユーザーに分かりやすく示すことができる。
【００１３】
上記の表示制御装置において、印刷データは、長尺状の印刷媒体に印刷を行うためのデータであって、編集項目は、設定値の変更により印刷媒体の長手方向における印刷イメージの長さが変わるものであることを特徴とする。
【００１４】
本発明の構成によれば、例えば、印刷媒体の先端部および後端部の余白長や、印刷媒体の長手方向における長さが変更された場合、それらの変更が印刷イメージにどのように反映されたかをユーザーに分かりやすく示すことができる。
【００１５】
上記の表示制御装置において、編集項目は、設定値の変更により印刷イメージの文字装飾が変わるものであることを特徴とする。
【００１６】
本発明の構成によれば、文字装飾が変更された場合、その変更が印刷イメージにどのように反映されたかをユーザーに分かりやすく示すことができる。
【００１７】
上記の表示制御装置において、制御部は、編集項目のデフォルト値または前回設定値からの設定値の変更量が、閾値以下である場合は、設定値の変更量に応じて、印刷イメージの変化を誇張して表示させ、閾値を超える場合は、設定値を閾値としたときの印刷イメージを表示させることを特徴とする。
【００１８】
本発明の構成によれば、設定値の変更量が閾値以下である場合は、ユーザーがその変化に気づきにくいため、設定値の変更量に応じて印刷イメージの変化を誇張して表示させることで、設定値の変更が印刷イメージにどのように反映されたかをユーザーに分かりやすく示すことができる。一方、設定値の変更量が閾値を超える場合は、設定値を閾値としたときの印刷イメージを表示させることで、印刷イメージと印刷成果物とが、大きくかけ離れたものになることを防止できる。
【００１９】
上記の表示制御装置において、複数の編集項目があり、設定値の変更単位は、編集項目ごとに定められ、閾値は、複数の編集項目について、同一の変更ステップ数により定められていることを特徴とする。
【００２０】
本発明の構成によれば、設定値の変更単位は、編集項目ごとに定められているため、ユーザーは、各編集項目に適した変更単位で編集を行うことができる。また、閾値は、複数の編集項目について同一の変更ステップ数により定められているため、ユーザーは、設定値をどの程度まで変更した場合に、その変更箇所が誇張表示されるかを理解したうえで、印刷イメージを確認することができる。
【図面の簡単な説明】
【００２１】
【図１】本発明の一実施形態に係る印刷システムＳＹのハードウェア構成を示すブロック図である。
【図２】編集画面（余白長：３［ｍｍ］、ラベル長：２０６．０［ｍｍ］設定時）の一例を示す図である。
【図３】パンチブロックラベルの作成例を示す図である。
【図４】編集項目「余白長」および「ラベル長」の設定値および変更単位の一例を示す図である。
【図５】編集画面（余白長：１［ｍｍ］、ラベル長：２０６．０［ｍｍ］設定時）の一例を示す図である。
【図６】編集画面（余白長：１５［ｍｍ］、ラベル長：２０６．０［ｍｍ］設定時）の一例を示す図である。
【図７】余白長の変更に伴う印刷イメージの変化を示す図である。
【図８】編集画面（余白長：３［ｍｍ］、ラベル長：２０５．０［ｍｍ］設定時）の一例を示す図である。
【図９】編集画面（余白長：３［ｍｍ］、ラベル長：２０８．０［ｍｍ］設定時）の一例を示す図である。
【図１０】ラベル長の変更に伴う印刷イメージの変化を示す図である。
【図１１】図１０に続く、ラベル長の変更に伴う印刷イメージの変化を示す図である。
【図１２】変形例１に係る編集画面の一例を示す図である。
【図１３】変形例１に係る文字ラベルの作成例を示す図である。
【図１４】変形例２に係る編集画面の一例を示す図である。
【発明を実施するための形態】
【００２２】
以下、添付の図面を参照して、本発明の表示制御装置、印刷装置、表示制御装置の制御方法およびそのプログラムについて説明する。本実施形態では、「表示制御装置」として、パーソナルコンピューター（以下、「ＰＣ」と表記する）を例示する。
【００２３】
図１は、本発明の一実施形態に係る印刷システムＳＹのハードウェア構成を示すブロック図である。印刷システムＳＹは、ＰＣ１と、テープ印刷装置２と、を備える。ＰＣ１とテープ印刷装置２は、ケーブルまたは無線通信を介して接続される。なお、接続形態は、ネットワーク接続であってもよいし、１対１の接続であってもよい。
【００２４】
ＰＣ１は、ラベルＬ（図３参照）を作成するための印刷データを生成する。また、テープ印刷装置２は、ＰＣ１から送信された印刷データに基づき、長尺状の印刷媒体の一例であるテープに印刷を行い、ラベルＬを作成する。
【００２５】
ＰＣ１は、ハードウェア構成として、キーボード１１、マウス１２、ディスプレー１３、ＨＤＤ１４（Hard disk drive）、通信モジュール１５およびＰＣ制御部１６を備える。ＰＣ制御部１６は、「制御部」の一例である。
【００２６】
キーボード１１およびマウス１２は、ユーザーが各種操作を行うための操作手段として用いられる。また、ディスプレー１３は、編集画面Ｄ１（図２等参照）など、各種情報を表示する表示手段として用いられる。なお、編集画面Ｄ１は、印刷データを編集するための画面である。
【００２７】
ＨＤＤ１４は、補助記憶装置であり、ＯＳ１４ａ（Operating System）や専用アプリケーション１４ｂ（図１では、「専用アプリ」と表記する）等を記憶する。専用アプリケーション１４ｂは、テープ印刷装置２と連携してラベルＬを作成するためのアプリケーションである。
【００２８】
通信モジュール１５は、テープ印刷装置２と通信するためのモジュールであり、本実施形態では、主に、テープ印刷装置２への印刷データの送信と、後述するテープ情報の受信に用いられる。
【００２９】
ＰＣ制御部１６は、ＣＰＵ１６ａ（Central Processing Unit）、ＲＯＭ１６ｂ（Read Only Memory）およびＲＡＭ１６ｃ（Random Access Memory）を含む。ＣＰＵ１６ａは、ＰＣ１内の各部と信号の入出力を行い、各種演算処理を行う。ＲＯＭ１６ｂは、各種制御プログラムおよび各種制御データを記憶する。ＲＡＭ１６ｃは、ＣＰＵ１６ａのワークエリアとして用いられる。
【００３０】
また、ＰＣ制御部１６は、上記の専用アプリケーション１４ｂに基づいて、表示処理、印刷データ生成処理および印刷命令処理等を実現する。
【００３１】
例えば、ＣＰＵ１６ａは、表示処理として、編集画面Ｄ１（図２参照）における印刷データの編集操作に伴い、その編集結果を印刷イメージＩとしてディスプレー１３に表示させる（図２のプレビュー表示領域Ｅ２参照）。このとき、ＣＰＵ１６ａは、印刷データの編集項目のうち所定の編集項目（「余白長」，「ラベル長」など）について設定値が変更されると、設定値の変更に基づく印刷イメージＩの変化を誇張して表示させる。詳細については後述する。
【００３２】
また、ＣＰＵ１６ａは、印刷データ生成処理として、編集画面Ｄ１における印刷データの編集結果に基づき、ラベルＬを作成するための印刷データを生成する。なお、本実施形態において、印刷データとは、テープに印刷する印刷画像を示す画像データの他、テープのカット命令など各種制御信号を含むものである。
【００３３】
また、ＣＰＵ１６ａは、印刷命令処理として、編集画面Ｄ１における印刷指示操作（印刷ボタン４１の選択，図２参照）に基づき、印刷データ生成処理により生成された印刷データを、テープ印刷装置２に送信する。
【００３４】
一方、テープ印刷装置２は、ハードウェア構成として、通信モジュール２１、印刷機構２２、装置制御部２３およびテープ識別センサー２４を備える。なお、印刷機構２２は、「印刷部」の一例である。
【００３５】
通信モジュール２１は、ＰＣ１と通信するためのモジュールであり、印刷データの受信およびテープ情報の送信等に用いられる。
【００３６】
印刷機構２２は、ＰＣ１から受信した印刷データに基づいて印刷を行うものであり、印刷ヘッド２２ａ、送りモーター２２ｂ、カッターモーター２２ｃおよびカッター２２ｄを含む。印刷ヘッド２２ａは、テープを収容するテープ収容部からテープを排出する排出口までの送り経路に臨み、送られていくテープに対し印刷を行う。送りモーター２２ｂは、送り経路に沿ってテープを送る駆動源である。カッターモーター２２ｃは、カッター２２ｄを駆動する駆動源である。カッター２２ｄは、印刷終了後、テープの印刷部分を幅方向に切断する。このように、テープが切断されることにより、短冊状のラベルＬが作成される。
【００３７】
装置制御部２３は、ＣＰＵ２３ａ、ＲＯＭ２３ｂおよびＲＡＭ２３ｃを含む。ＣＰＵ２３ａは、テープ印刷装置２内の各部と信号の入出力を行い、各種演算処理を行う。ＲＯＭ２３ｂは、ファームウェアなどの制御プログラムおよび各種制御データを記憶する。ＲＡＭ２３ｃは、ＣＰＵ２３ａのワークエリアとして用いられる。
【００３８】
テープ識別センサー２４は、テープのテープ幅やテープ色などのテープ情報を検出する。テープ情報の検出は、例えばテープを収容したテープカートリッジをテープ印刷装置２に装着する構成の場合、テープカートリッジに貼付または印刷された画像（バーコードや２次元コードなど）やＲＦＩＤ（Radio Frequency Identification）を読み取る方法、テープカートリッジに形成された１以上の孔の有無を検出する方法、などが考えられる。若しくは、赤外線センサー等によりテープのテープ幅を直接検出してもよい。
【００３９】
装置制御部２３は、テープ識別センサー２４により検出されたテープ情報を、ＰＣ１に送信する。なお、テープ情報の送信タイミングは、テープ印刷装置２の起動時およびテープ交換時などが考えられる。また、ＰＣ１から情報取得命令を受信したときに、情報取得命令に対する応答として、テープ情報を送信してもよい。ＰＣ１は、専用アプリケーション１４ｂの起動時や、専用アプリケーション１４ｂに対し所定の操作が行われたときに、情報取得命令を送信することが考えられる。
【００４０】
次に、図２を参照し、編集画面Ｄ１について説明する。ここでは、配線盤のポート番号を表示するパンチブロックラベルＬ１（図３参照）を作成するための編集画面Ｄ１を例示する。編集画面Ｄ１は、設定領域Ｅ１、プレビュー表示領域Ｅ２、印刷ボタン４１およびキャンセルボタン４２を含む。なお、図２では、設定領域Ｅ１およびプレビュー表示領域Ｅ２の枠線を、破線で示しているが、実線で示してもよいし、枠線を表示しなくてもよい。但し、プレビュー表示領域Ｅ２は、限られた領域であることを示すため、編集画面Ｄ１内の他の領域と識別可能に表示する（例えば、プレビュー表示領域Ｅ２の地色と、編集画面Ｄ１の地色を異なる色とするなど）ことが好ましい。
【００４１】
設定領域Ｅ１には、テープ幅表示・選択欄５１、余白長設定欄５２、ラベル長設定欄５３、第１初期値設定欄５４および第２初期値設定欄５５が表示される。
【００４２】
テープ幅表示・選択欄５１には、テープ印刷装置２からテープ情報として送信されたテープ幅が表示される。また、テープ幅表示・選択欄５１では、ユーザーが任意のテープ幅に変更することも可能である。この場合、ユーザーは、変更したテープ幅のテープ（またはテープカートリッジ）を、テープ印刷装置２のテープ収容部に収容する。
【００４３】
余白長設定欄５２では、ラベルＬの先端部および後端部に設けられる余白の、テープの長手方向における長さである余白長が設定される。余白長の設定は、余白長設定欄５２に設けられた上向き三角マークおよび下向き三角マークの選択によって数値を上下させるか、直接数値入力されることにより行われる。但し、数値入力の場合は、入力制限（下限値および上限値の制限、小数点第一位以下の入力制限など，図４参照）がある。なお、本実施形態では、ラベルＬの先端部に設けられる前余白長と、ラベルＬの後端部に設けられる後余白長は同じ長さとして設定されるが（図３参照）、それぞれ独立して設定可能としてもよい。
【００４４】
ラベル長設定欄５３では、テープの長手方向における長さであるラベル長が設定される。ラベル長の設定は、ラベル長設定欄５３に設けられた上向き三角マークおよび下向き三角マークの選択によって数値を上下させるか、直接数値入力されることにより行われる。但し、数値入力の場合は、入力制限（下限値および上限値の制限、小数点第二位以下の入力制限など，図４参照）がある。
【００４５】
なお、図２の例は、余白長設定欄５２およびラベル長設定欄５３は、それぞれデフォルト値（余白長：３［ｍｍ］、ラベル長：２０６．０［ｍｍ］）が設定された状態を示している。つまり、編集画面Ｄ１を開いたとき、余白長設定欄５２およびラベル長設定欄５３には、既にこれらの値が初期値として入力された状態となっている。
【００４６】
第１初期値設定欄５４では、パンチブロックラベルＬ１の上段の初期値が設定される。パンチブロックラベルＬ１の上段には、第１初期値設定欄５４に入力された初期値、初期値＋１、初期値＋３、初期値＋５、初期値＋７、初期値＋９、初期値＋１１、初期値＋１３、初期値＋１５、初期値＋１７、初期値＋１９、初期値＋２１、初期値＋２３、の合計１３個の数値が配列される。
【００４７】
第２初期値設定欄５５では、パンチブロックラベルＬ１の下段の初期値が設定される。パンチブロックラベルＬ１の下段には、第２初期値設定欄５５に入力された初期値に、それぞれ上段と同様の数値を加算した合計１３個の数値が配列される。
【００４８】
プレビュー表示領域Ｅ２には、設定領域Ｅ１の設定値に基づいて生成される印刷データに対応した印刷イメージＩが表示される。印刷イメージＩとは、テープのイメージに、印刷画像のイメージを重ねて表示したもの（印刷プレビュー表示）である。ＰＣ制御部１６は、テープ幅表示・選択欄５１に表示されたテープ幅に応じ、テープのイメージがプレビュー表示領域Ｅ２の縦方向に収まる最大サイズとなるように、印刷イメージＩの表示サイズを決定する。
【００４９】
また、ＰＣ制御部１６は、設定領域Ｅ１内の編集項目のうち、少なくともテープ幅表示・選択欄５１、余白長設定欄５２およびラベル長設定欄５３が設定された後、プレビュー表示領域Ｅ２に印刷イメージＩを表示させる。また、設定領域Ｅ１内の編集項目のうちいずれかの編集項目の設定値が変更された場合、その変更を印刷イメージＩに反映する。図２に示す印刷イメージＩｃは、編集項目「余白長」および「ラベル長」がいずれもデフォルト値に設定された場合を示している。
【００５０】
なお、ＰＣ制御部１６は、編集画面Ｄ１において、印刷ボタン４１が選択された場合、設定領域Ｅ１の設定に基づいて、印刷データを生成し、当該印刷データをテープ印刷装置２に送信する。また、ＰＣ制御部１６は、キャンセルボタン４２が選択された場合、設定領域Ｅ１の設定をキャンセルし、編集画面Ｄ１を非表示とする。
【００５１】
図３は、図２の編集画面Ｄ１（設定領域Ｅ１）の設定に基づいて作成されたパンチブロックラベルＬ１を示している。図３に示すように、パンチブロックラベルＬ１の先端から後端までのラベル長は２０６［ｍｍ］、パンチブロックラベルＬ１の先端部から印刷開始位置までの前余白長は３［ｍｍ］、パンチブロックラベルＬ１の印刷終了位置から後端部までの後余白長は３［ｍｍ］、となっている。
【００５２】
なお、図２に示したように、編集項目「余白長」および「ラベル長」がいずれもデフォルト値に設定された場合、作成されるパンチブロックラベルＬ１は、図２のプレビュー表示領域Ｅ２に表示された印刷イメージＩｃと同様の見た目となる。言い換えれば、編集項目「余白長」および「ラベル長」の少なくとも一方がデフォルト値以外の値に設定された場合、作成されるパンチブロックラベルＬ１と、印刷イメージＩとは、見た目の違いが生じる。これは、ＰＣ制御部１６が、編集項目「余白長」および「ラベル長」について、デフォルト値（初期値）以外の設定値に変更され、その変更量が後述する閾値以下である場合、その変更に基づく印刷イメージＩの変化を誇張して表示させるためである。以下、この編集項目「余白長」および「ラベル長」の設定値の変更による印刷イメージＩの誇張表示について詳述する。編集項目「余白長」および「ラベル長」は、「設定値の変更により印刷媒体の長手方向における印刷イメージの長さが変わる」編集項目の一例である。
【００５３】
なお、設定領域Ｅ１に示した印刷データの編集項目のうち、編集項目「余白長」および「ラベル長」以外の項目については、誇張表示の対象とはならない。つまり、編集項目「余白長」および「ラベル長」以外の項目が変更された場合、その変更は印刷イメージＩに反映されるが、設定値の変更に基づく変化が誇張して表示されるわけではない。
【００５４】
図４は、編集項目「余白長」および「ラベル長」の設定値および変更単位を示している。同図に示すように、編集項目「余白長」は、下限値１．０［ｍｍ］から上限値１５．０［ｍｍ］の範囲で、設定値を変更することが可能であり、デフォルト値は、３．０［ｍｍ］となっている。また、編集項目「余白長」は、設定値の変更単位（ステップ）が１．０［ｍｍ］となっている。つまり、デフォルト値３．０［ｍｍ］から、下限値まで２ステップ、上限値まで１２ステップの変更が可能である。
【００５５】
一方、編集項目「ラベル長」は、下限値２０５．０［ｍｍ］から上限値２０８．０［ｍｍ］の範囲で、設定値を変更することが可能であり、デフォルト値は、２０６．０［ｍｍ］となっている。また、編集項目「ラベル長」は、設定値の変更単位（ステップ）が０．１［ｍｍ］となっている。つまり、デフォルト値２０６．０［ｍｍ］から、下限値まで１０ステップ、上限値まで２０ステップの変更が可能である。
【００５６】
ところで、ＰＣ制御部１６は、各編集項目のデフォルト値からの設定値の変更量が、５ステップ以下（上述の「閾値以下」）である場合、設定値の変更量に応じて、プレビュー表示領域Ｅ２の印刷イメージＩの変化を誇張して表示させる。一方、ＰＣ制御部１６は、各編集項目のデフォルト値からの設定値の変更量が、５ステップを超える場合は、変更量を５ステップとしたときの印刷イメージＩを表示させる。但し、設定値の下限値または上限値の兼ね合いで、５ステップ未満の変更しかできない場合は、変更可能なステップ数の範囲内で誇張表示させる。
【００５７】
図５の編集画面Ｄ１は、編集項目「余白長」を１［ｍｍ］（下限値）に設定した場合（余白長設定欄５２参照）の印刷イメージＩａ（プレビュー表示領域Ｅ２参照）を示している。編集項目「余白長」は、デフォルト値が３．０［ｍｍ］、変更単位が１．０［ｍｍ］であるから、余白長：１［ｍｍ］の設定は、デフォルト値から下限値側に２ステップ変更したものであり、設定値の変更量に応じた誇張表示の対象となる。したがって、印刷イメージＩａの前余白長および後余白長の変化量は、設定値の変化量（ここでは２ｍｍ）に所定の誇張表示率を乗じた値（誇張表示率が例えば１．５倍の場合、２×１．５＝３［ｍｍ］）となり、印刷イメージＩａの前余白長および後余白長は、デフォルト値３［ｍｍ］−変化量３［ｍｍ］＝０［ｍｍ］となる。ここで、「誇張表示率」とは、デフォルト値からの設定値の変更量に対する、印刷イメージＩの変化量を指す。なお、図２の編集画面Ｄ１の設定に対し、図５の編集画面Ｄ１の設定では、余白長が短くなっているため、印刷イメージＩａは、印刷イメージＩｃより数値間隔が広くなっている。
【００５８】
なお、特に図示しないが、図５の編集画面Ｄ１に基づく印刷結果は、前余白長および後余白長が誇張表示された印刷イメージＩａの表示とは異なり、設定領域Ｅ１の設定値に基づくラベルＬ（前余白長：１［ｍｍ］、後余白長：１［ｍｍ］、ラベル長：２０６［ｍｍ］）が作成される。図６，図８，図９の編集画面Ｄ１に基づく印刷結果も、設定領域Ｅ１の設定値に基づくものであるため、以下説明を省略する。
【００５９】
図６の編集画面Ｄ１は、編集項目「余白長」を１５［ｍｍ］（上限値）に設定した場合（余白長設定欄５２参照）の印刷イメージＩｊ（プレビュー表示領域Ｅ２参照）を示している。余白長：１５［ｍｍ］の設定は、デフォルト値から上限値側に１２ステップ変更したものであるから、設定値の変更量に応じた誇張表示の範囲を超えている。したがって、印刷イメージＩｊの前余白長および後余白長は、デフォルト値から上限値側に５ステップ変更した余白長：８［ｍｍ］設定時の印刷イメージＩｈ（図７参照）と同じ表示となる。
【００６０】
図７は、余白長の変更に伴う印刷イメージＩの変化を示す図である。同図は、ラベル長がデフォルト値（２０６．０［ｍｍ］）である場合を示している。また、同図の左側は、誇張表示を行う場合（本実施形態のプレビュー表示を行う場合）の印刷イメージＩ、右側は、誇張表示を行わない場合（通常のプレビュー表示を行う場合）の印刷イメージＩを示している。誇張表示を行う場合の印刷イメージＩは、余白長の変化を誇張表示する割合（誇張表示率）を、１．５倍として図示している。
【００６１】
また、図７において、補助線Ａ１は、印刷イメージＩの先端位置を示し、補助線Ａ２は、印刷イメージＩの後端位置を示す。また、補助線Ａ３は、余白長がデフォルト値（３［ｍｍ］）である場合の前余白の終了位置を示し、補助線Ａ４は、余白長がデフォルト値である場合の後余白の開始位置を示す。同図に示すように、余白長：１［ｍｍ］設定時および余白長：２［ｍｍ］設定時は（印刷イメージＩａ，Ｉｂ参照）、印刷イメージＩの前余白長および後余白長の変化が、設定値の変更量に応じて誇張表示される。また、余白長：４［ｍｍ］設定時から余白長：８［ｍｍ］設定時までは（印刷イメージＩｄ〜Ｉｈ参照）、印刷イメージＩの前余白長および後余白長の変化が、設定値の変更量に応じて誇張表示される。さらに、余白長：９［ｍｍ］設定時から余白長：１５［ｍｍ］設定時までは（印刷イメージＩｉ，Ｉｊ参照）、設定値の変更量に応じた誇張表示の範囲を超えているため、印刷イメージＩの前余白長および後余白長が、余白長：８［ｍｍ］設定時（印刷イメージＩｈ参照）と同じ長さとなる。
【００６２】
このように、編集項目「余白長」について設定値の変更が行われると、印刷イメージＩにおいて、前余白長および後余白長の変化が誇張表示される。なお、余白長の誇張表示率は、図７に示したように、常に一定の値（図７の例では、１．５倍）とするのではなく、変動する値としてもよい。この場合、デフォルト値からの変更量が大きくなるにつれて誇張表示率を小さくすることが好ましい。この構成によれば、設定値の変更量を徐々に大きくしていく操作が行われた場合、最初の１ステップで、設定値の変更が印刷イメージＩにどのように反映されるかをより分かりやすく示すことができ、且つ変更量を大きくしたときの、設定値と印刷イメージＩとのギャップが抑えられるため、ユーザーの違和感を軽減できる。
【００６３】
続いて、ラベル長の設定値を変更した場合を説明する。図８の編集画面Ｄ１は、編集項目「ラベル長」を２０５．０［ｍｍ］（下限値）に設定した場合（余白長設定欄５２参照）の印刷イメージＩｋ（プレビュー表示領域Ｅ２参照）を示している。編集項目「ラベル長」は、デフォルト値が２０６．０［ｍｍ］、変更単位（ステップ）が０．１［ｍｍ］であるから、ラベル長：２０５．０［ｍｍ］の設定は、デフォルト値から下限値側に１０ステップ変更したものであり、設定値の変更量に応じた誇張表示の範囲を超えている。したがって、印刷イメージＩｋのラベル長は、デフォルト値から下限値側に５ステップ変更したラベル長：２０５．５［ｍｍ］設定時の印刷イメージＩｍ（図１０参照）と同じ表示となる。
【００６４】
また、図９の編集画面Ｄ１は、編集項目「ラベル長」を２０８．０［ｍｍ］（上限値）に設定した場合（余白長設定欄５２参照）の印刷イメージＩｘ（プレビュー表示領域Ｅ２参照）を示している。ラベル長：２０８．０［ｍｍ］の設定は、デフォルト値から上限値側に２０ステップ変更したものであり、設定値の変更量に応じた誇張表示の範囲を超えている。したがって、印刷イメージＩｘの前余白長および後余白長は、デフォルト値から上限値側に５ステップ変更したラベル長：２０６．５［ｍｍ］設定時の印刷イメージＩｖ（図１１参照）と同じ表示となる。
【００６５】
図１０および図１１は、ラベル長の変更に伴う印刷イメージＩの変化を示す図である。同図は、余白長がデフォルト値（３［ｍｍ］）である場合を示している。また、同図の左側は、誇張表示を行う場合の印刷イメージＩ、右側は、誇張表示を行わない場合の印刷イメージＩを示している。誇張表示を行う場合の印刷イメージＩは、ラベル長の変化を誇張表示する割合（誇張表示率）を、２０倍として図示している。
【００６６】
また、図１０および図１１において、補助線Ａ５は、印刷イメージＩの先端位置を示し、補助線Ａ６はラベル長がデフォルト値（２０６．０［ｍｍ］）である場合の印刷イメージＩｃの後端位置を示す。図１０に示すように、ラベル長：２０５．０［ｍｍ］設定時からラベル長：２０５．４［ｍｍ］設定時までは（印刷イメージＩｋ，Ｉｌ参照）は、設定値の変更量に応じた誇張表示の範囲を超えているため、印刷イメージＩのラベル長が、ラベル長：２０５．５［ｍｍ］設定時（印刷イメージＩｍ参照）と同じ長さとなる。また、ラベル長：２０５．５［ｍｍ］設定時からラベル長：２０５．９［ｍｍ］設定時までは（印刷イメージＩｍ〜Ｉｑ参照）、印刷イメージＩのラベル長の変化が、設定値の変更量に応じて誇張表示される。また、この場合の印刷イメージＩは、ラベル長：２０６．０［ｍｍ］設定時（印刷イメージＩｃ参照）よりもラベル長が短いため、数値間隔が狭くなる。
【００６７】
また、図１１に示すように、ラベル長：２０６．１［ｍｍ］設定時からラベル長：２０６．５［ｍｍ］設定時までは（印刷イメージＩｒ〜Ｉｖ参照）、印刷イメージＩのラベル長の変化が、設定値の変更量に応じて誇張表示される。また、この場合の印刷イメージＩは、ラベル長：２０６．０［ｍｍ］設定時（印刷イメージＩｃ参照）よりもラベル長が長いため、数値間隔が広くなる。さらに、ラベル長：２０６．６［ｍｍ］設定時からラベル長：２０８．０［ｍｍ］設定時は（印刷イメージＩｗ，Ｉｘ参照）は、設定値の変更量に応じた誇張表示の範囲を超えているため、印刷イメージＩのラベル長が、ラベル長：２０６．５［ｍｍ］設定時（印刷イメージＩｖ参照）と同じ長さとなる。
【００６８】
このように、編集項目「ラベル長」について設定値の変更が行われると、印刷イメージＩにおいて、ラベル長の変化が、設定値の変更量に応じて誇張表示される。編集項目「ラベル長」についても、編集項目「余白長」と同様に、誇張表示率は、常に一定の値でもよいし、変動する値でもよい。また、後者の場合は、デフォルト値からの変更量が大きくなるにつれて誇張表示率を小さくすることが好ましい。
【００６９】
以上、説明したとおり、本実施形態の印刷システムＳＹによれば、印刷データの編集画面Ｄ１において、編集項目の設定値の変更に基づく印刷イメージＩの変化を誇張して表示させるため、設定値の変更が印刷イメージＩにどのように反映されたか（印刷イメージＩのどの部分に、どのような変化をもたらしたのか）をユーザーに分かりやすく示すことができる。
【００７０】
特に、編集項目「余白長」および「ラベル長」は、作成するラベルＬのラベル長が長い場合やプレビュー表示領域Ｅ２が狭い場合、設定値の変更に伴う印刷イメージＩの変化が小さくなるため、設定値が変更されたことをユーザーが確認しづらいといった問題がある。本実施形態では、これらの編集項目について、設定値の変更に基づく変化を誇張して表示することで、そのような問題を解決することができる。
【００７１】
また、本実施形態の印刷システムＳＹでは、編集項目のデフォルト値からの設定値の変更量が、５ステップ以下である場合に、設定値の変更量に応じて、印刷イメージＩの変化を誇張して表示させ、５ステップを超える場合、設定値を５ステップとしたときの印刷イメージＩを表示させる。つまり、設定値の変更量が閾値以下である場合は、ユーザーがその変化に気づきにくいため、設定値の変更に基づく変化を誇張して表示させることで、設定値の変更が印刷イメージＩにどのように反映されたかをユーザーに分かりやすく示すことができる。一方、設定値の変更量が閾値を超える場合は、設定値を閾値としたときの印刷イメージＩを表示させることで、印刷イメージＩとラベルＬの見た目が、大きくかけ離れたものになることを防止できる。
【００７２】
また、本実施形態の印刷システムＳＹでは、誇張表示の対象となる編集項目が複数あり、設定値の変更単位は、編集項目ごとに定められているため、ユーザーは、各編集項目に適した変更単位で編集を行うことができる。また、閾値は、複数の編集項目について同一の変更ステップ数により定められているため、ユーザーは、設定値をどの程度まで変更した場合に、その変更箇所が誇張表示されるかを理解したうえで、印刷イメージＩを確認することができる。
【００７３】
なお、上記の実施形態に限らず、以下の変形例を採用可能である。
［変形例１］
上記の実施形態において、ＰＣ制御部１６は、編集項目「余白長」および「ラベル長」の設定値の変更に伴って印刷イメージＩの変化を誇張表示したが、文字装飾の設定値の変更が行われた場合も、その変更に伴う印刷イメージＩの変化を誇張表示してもよい。
【００７４】
図１２は、変形例１に係る編集画面Ｄ２の一例を示す図である。編集画面Ｄ２は、文字入力領域Ｅ５、ブロック配置選択欄６１、ブロック数設定欄６２、ブロック配置表示領域Ｅ６、文字装飾設定領域Ｅ７、プレビュー表示領域Ｅ８、印刷ボタン７１およびキャンセルボタン７２を含む。印刷ボタン７１およびキャンセルボタン７２は、編集画面Ｄ１の印刷ボタン４１およびキャンセルボタン４２（図２等参照）と同様に機能する。
【００７５】
文字入力領域Ｅ５には、文字（数字、記号を含む）が入力される。ブロック配置選択欄６１では、複数のブロック配置パターンの中から、いずれかが選択される。ブロック配置パターンとしては、複数のブロックをテープの長手方向に配置する「パターン１」、複数のブロックをテープの幅方向に配置する「パターン２」、複数のブロックをテープの長手方向および幅方向に配置する「パターン３」などを選択可能である。ブロック数設定欄６２は、配置するブロック数を設定可能である。ブロック配置表示領域Ｅ６は、ブロック配置選択欄６１およびブロック数設定欄６２の設定に基づき、ブロック配置イメージ６３を表示する。文字装飾設定領域Ｅ７では、ブロックごとに文字装飾が設定される。図１２の例では、３つのブロックが存在するため、Ａ，Ｂ，Ｃブロックについて、それぞれ文字装飾が設定される。プレビュー表示領域Ｅ８には、文字入力領域Ｅ５、ブロック配置選択欄６１、ブロック数設定欄６２および文字装飾設定領域Ｅ７の設定に基づく印刷データに対応する印刷イメージＩｙが表示される。
【００７６】
図１３は、図１２の編集画面Ｄ２の設定に基づいて作成された文字ラベルＬ２を示している。文字ラベルＬ２は、文字装飾設定領域Ｅ７の設定に基づき、最初のブロックであるＡブロックが、文字装飾「なし」、二番目のブロックであるＢブロックが文字装飾「太字」、三番目のブロックであるＣブロックが、文字装飾「太字」および「文字サイズ８ポイント」となっている。なお、文字サイズのデフォルト値は１０ポイントであるものとする。この文字ラベルＬ２に対し、図１２の編集画面Ｄ２に示す印刷イメージＩｙ（プレビュー表示領域Ｅ８参照）は、ＢブロックおよびＣブロックの文字装飾が誇張表示されている。つまり、ＰＣ制御部１６は、誇張表示しない場合に比べて、文字装飾「太字」について、文字がより太くなるように、文字装飾「文字サイズ」について、文字サイズがより小さくなるように誇張して表示させる。
【００７７】
このように、ＰＣ制御部１６は、印刷データの編集項目として文字装飾の設定値が変更されたとき、印刷データに対応する印刷イメージＩの文字装飾の変化を誇張して表示させる。この構成によれば、文字装飾が変更された場合、その変更が印刷イメージＩにどのように反映されたかをユーザーに分かりやすく示すことができる。
【００７８】
なお、図１２に示した太字や文字サイズ以外にも、文字装飾として、斜体、影付き文字、立体文字、縁付き文字などの文字飾りが変更された場合に、その変更に基づく変化を誇張して表示させてもよい。誇張表示方法としては、例えば、文字装飾「斜体」の場合は、文字の傾斜を大きくする、文字装飾「影付き文字」の場合は、影の分量を多くする、文字装飾「立体文字」の場合は、立体感を大きくする、文字装飾「縁付き文字」の場合は、縁の分量を多くする、などが考えられる。
【００７９】
［変形例２］
また、ＰＣ制御部１６は、図１２の例において、テープのイメージと印刷画像のイメージを重ねて表示した印刷イメージＩｙを表示したが（プレビュー表示領域Ｅ８参照）、図１４の編集画面Ｄ３に示すように、印刷画像のイメージのみを表示してもよい。図１４の例では、印刷画像表示領域Ｅ９に、ブロックごとの印刷画像のイメージを表示した印刷イメージＩｚを表示している。ＰＣ制御部１６は、印刷イメージＩｚにおいて、誇張表示しない場合に比べて、文字装飾「太字」が設定されたＢブロックの文字を太くなるように、文字装飾「太字」および「文字サイズ８ポイント」が設定されたＣブロックの文字を太く且つ小さくなるように誇張して表示させる。
【００８０】
また、さらなる変形例として、印刷画像のイメージをブロックごとに分けずに表示してもよい。つまり、図１３に示した文字ラベルＬ２の印刷画像に相当するイメージを、印刷画像表示領域Ｅ９に表示させてもよい。
【００８１】
［変形例３］
上記の実施形態において、ＰＣ制御部１６は、編集項目のデフォルト値からの設定値の変更量が閾値以下である場合に、設定値の変更に基づく印刷イメージＩの変化を誇張表示させたが、デフォルト値ではなく、前回設定値（直近の編集処理における設定値）からの設定値の変更量が閾値以下である場合に誇張表示させてもよい。この場合、ＰＣ制御部１６は、前回設定値からの設定値の変更量が閾値以下であれば、印刷イメージＩにおいて、設定値の変更に基づく変化を誇張して表示させ、閾値を超える場合は、設定値を閾値としたときの印刷イメージＩを表示させる。
【００８２】
［変形例４］
上記の実施形態において、ＰＣ制御部１６は、編集項目のデフォルト値からの設定値の変更量が５ステップ以下である場合に、設定値の変更に基づく印刷イメージＩの変化を誇張表示させたが、閾値となるステップ数は任意であり、ユーザーが、任意の値に変更可能としてもよい。
【００８３】
［変形例５］
また、変更ステップ数ではなく、変更長さを閾値として、誇張表示させるか否かを決定してもよい。この場合、ＰＣ制御部１６は、編集項目「余白長」および「ラベル長」の変更量が、例えば５［ｍｍ］以下の場合、設定値の変更量に応じて印刷イメージＩの変化を誇張して表示させ、５［ｍｍ］を超える場合、設定値を閾値としたときの印刷イメージＩを表示させる。
【００８４】
なお、さらなる変形例として、編集項目ごとに、設定値の変更量の閾値を設定してもよい。また、ユーザーが、編集項目ごとに、変更量の閾値を任意の値に変更可能としてもよい。さらに、ユーザーが、編集項目ごとに、設定値のデフォルト値、下限値および上限値、変更単位を、任意の値に変更可能としてもよい。
【００８５】
［変形例６］
上記の実施形態において、ＰＣ制御部１６は、編集項目のデフォルト値からの設定値の変更量が閾値を超える場合、設定値を閾値としたときの印刷イメージＩを表示させたが、設定値の変更量が閾値を超える場合、設定値どおりの印刷イメージＩを表示させてもよい。この場合、例えば、編集項目「余白長」のデフォルト値が３［ｍｍ］、閾値が８［ｍｍ］、誇張表示率が２倍（常に一定の値）の場合、余白長が３，４，５，６，７，８［ｍｍ］までは、印刷イメージＩの余白長を、それぞれ６，８，１０，１２，１４，１６［ｍｍ］のイメージで表示し、余白長の設定値が９［ｍｍ］の場合、印刷イメージＩの余白長を、９［ｍｍ］のイメージで表示することとなる。
【００８６】
［変形例７］
上記の実施形態では、設定値の変更により印刷イメージのテープの長手方向における長さが変わる編集項目として、「余白長」および「ラベル長」を例示したが、これ以外にも、例えば「文字サイズ」や「文字間隔」などの編集項目について設定値が変更された場合も、誇張表示を行ってもよい。また、文字方向が、横並び（図１３参照）ではなく縦並び（ラベルＬの幅方向に文字が並べられる方向）の場合、編集項目「文字サイズ」や「行間隔」も、誇張表示の対象としてもよい。さらに、設定値の変更により印刷イメージのテープの幅方向における長さが変わる編集項目についても、誇張表示の対象としてもよい。例えば、編集項目「テープ幅」、テープ幅方向の「余白長」、「文字サイズ」、文字方向が横並びの場合の「行間隔」、文字方向が縦並びの場合の「文字間隔」などが考えられる。
【００８７】
［変形例８］
上記の実施形態および変形例に示したＰＣ１の各処理を、ＰＣ制御部１６（ＣＰＵ１６ａ）が実行するためのプログラム（専用アプリケーション１４ｂ）、また、そのプログラムを記録した記録媒体（ＣＤ−ＲＯＭ、フラッシュメモリーカード等）も、本発明の権利範囲に含まれる。また、上記の実施形態および変形例に示したＰＣ１の各処理を、クラウドコンピューティングで実現してもよい。また、ＰＣ１に代え、タッチセンサー付きディスプレーを備えたタブレット端末、携帯電話などの情報処理端末を用いてもよい。さらに、ＰＣ１の各機能およびハードウェア構成をテープ印刷装置２に搭載してもよい。つまり、ＰＣ１以外の情報処理端末やテープ印刷装置２を、本発明の「表示制御装置」として用いてもよい。その他、本発明の要旨を逸脱しない範囲で、適宜変更が可能である。
【符号の説明】
【００８８】
１…ＰＣ（表示制御装置）、２…テープ印刷装置（表示制御装置）、１３…ディスプレー、１６…ＰＣ制御部（制御部）、４１…印刷ボタン、４２…キャンセルボタン、５１…テープ幅表示・選択欄、５２…余白長設定欄、５３…ラベル長設定欄、５４…第１初期値設定欄、５５…第２初期値設定欄、Ｄ１…編集画面、Ｅ１…設定領域、Ｅ２…プレビュー表示領域、Ｉｃ（Ｉ）…印刷イメージ。
【図１】
2019008733.tif 000003
【図２】
2019008733.tif 000004
【図３】
2019008733.tif 000005
【図４】
2019008733.tif 000006
【図５】
2019008733.tif 000007
【図６】
2019008733.tif 000008
【図７】
2019008733.tif 000009
【図８】
2019008733.tif 000010
【図９】
2019008733.tif 000011
【図１０】
2019008733.tif 000012
【図１１】
2019008733.tif 000013
【図１２】
2019008733.tif 000014
【図１３】
2019008733.tif 000015
【図１４】
2019008733.tif 000016